(57)【特許請求の範囲】
【請求項１】
第１の所定の周波数で共振する第１のアンテナと、
前記第１の所定の周波数を変更する第１の周波数変更手段と、
所定の機能を動作させる機能動作手段と、
前記機能動作手段により、人体が通信機器に接触した状態で動作されることが想定される特定の機能が動作されたとき、前記第１の所定の周波数を高周波数側に変更するように前記第１の周波数変更手段を制御する制御部と、を有することを特徴とする通信機器。
【請求項２】
表示手段を有し、
前記機能動作手段は、前記表示手段による表示を伴う機能を動作するように構成され、
前記制御手段は、前記機能動作手段により前記表示手段による表示を伴う機能が動作されたとき、前記第１の所定の周波数を高周波数側に変更するように前記第１の周波数変更手段を制御する、ことを特徴とする請求項１に記載の通信機器。
【請求項３】
操作手段を有し、
前記機能動作手段は、前記操作手段による操作を伴う機能を動作するように構成され、
前記制御手段は、前記機能動作手段により前記操作手段による操作を伴う機能が動作されたとき、前記第１の所定の周波数を高周波数側に変更するように前記第１の周波数変更手段を制御する、ことを特徴とする請求項１に記載の通信機器。
【請求項４】
第１の所定の周波数で共振する第１のアンテナと、
第２の所定の周波数で共振する第２のアンテナと、
前記第１の所定の周波数を変更する第１の周波数変更手段と、
前記第２のアンテナにより送受信される電波を用いた近距離通信機能を動作させる機能動作手段と、
前記機能動作手段により前記近距離通信機能が動作されたとき、前記第１の所定の周波数を高周波数側に変更するように前記第１の周波数変更手段を制御する制御部と、を有することを特徴とする通信機器。
【請求項５】
音声報知手段を有し、
前記機能動作手段は、前記音声報知手段による音声報知を伴う機能を動作するように構成され、
前記制御手段は、前記機能動作手段により前記音声報知手段による音声報知を伴う機能が動作されたとき、前記第１の所定の周波数を高周波数側に変更するように前記第１の周波数変更手段を制御する、ことを特徴とする請求項１に記載の通信機器。
【請求項６】
第１の所定の周波数で共振する第１のアンテナと、
前記第１の所定の周波数を変更する第１の周波数変更手段と、
表示手段又は操作手段と、
音声報知手段と、
前記表示手段による表示を伴う機能又は前記操作手段による操作を伴う機能、及び前記音声報知手段による音声報知を伴う機能を動作させる機能動作手段と、
前記機能動作手段により前記表示手段による表示を伴う機能又は前記機能動作手段により前記操作手段による操作を伴う機能が動作されたとき、前記第１の所定の周波数を第３の所定の周波数まで高周波数側に変更するように前記第１の周波数変更手段を制御し、前記機能動作手段により前記音声報知手段による音声報知を伴う機能が動作されたとき、前記第１の所定の周波数を前記第３の所定の周波数よりも高い第４の所定の周波数まで高周波数側に変更するように前記第１の周波数変更手段を制御する制御部と、を有することを特徴とする通信機器。
【請求項７】
前記機能動作手段により動作される前記音声報知手段による音声報知を伴う機能は、前記第１のアンテナにより送受信される電波を用いた通話機能である、ことを特徴とする請求項６に記載の通信機器。
【請求項８】
第１の所定の周波数で共振する第１のアンテナと、
前記第１の所定の周波数を変更する第１の周波数変更手段と、
外部の音声報知機器による音声報知を伴う機能を動作させる機能動作手段と、
前記機能動作手段により特定の機能が動作されたとき、前記第１の所定の周波数を高周波数側に変更するように前記第１の周波数変更手段を制御する制御部と、を有し、
前記制御手段は、前記第１の周波数変更手段により前記第１の所定の周波数が高周波数側に変更された状態で前記機能動作手段により前記音声報知機器による音声報知を伴う機能が動作されたとき、前記高周波数側に変更された周波数を低周波数側に変更するように前記第１の周波数変更手段を制御することを特徴とする通信機器。
【請求項９】
前記制御手段は、前記第１の周波数変更手段により前記第１の所定の周波数が高周波数側に変更された状態で前記機能動作手段により前記音声報知機器による音声報知を伴う機能が動作されたとき、前記高周波数側に変更された周波数を前記第１の所定の周波数に変更するように前記第１の周波数変更手段を制御する、ことを特徴とする請求項８に記載の通信機器。
【請求項１０】
前記制御手段は、前記機能動作手段により前記近距離通信機能が動作されたときに所定の条件を満たした場合には、前記第１の所定周波数を高周波数側に変更し、前記所定の条件を満たさなかった場合には、前記第１の所定の周波数を高周波数側に変更しないように前記第１の周波数変更手段を制御する、ことを特徴とする請求項４に記載の通信機器。
【請求項１１】
前記近距離通信機能は、ブルートゥース（商標）機能とブルートゥース機能とは異なる他の機能とを含んで構成され、
前記制御手段は、前記機能動作手段により前記他の機能が動作されたとき、前記所定の条件を満たしたものとして前記第１の所定の周波数を高周波数側に変更し、前記機能動作手段により前記ブルートゥース機能が動作されたとき、前記所定の条件を満たさなかったものとして前記第１の所定の周波数を高周波数側に変更しないように前記第１の周波数変更手段を制御する、ことを特徴とする請求項１０に記載の通信機器。
【請求項１２】
前記第２の所定の周波数を変更する第２の周波数変更手段を有し、
前記制御手段は、前記機能動作手段により前記近距離通信機能が動作されたとき、前記第２の所定の周波数を高周波数側に変更するように前記第２の周波数変更手段を制御する、ことを特徴とする請求項４に記載の通信機器。
【請求項１３】
前記制御手段は、前記機能動作手段により前記近距離通信機能が動作されたときに所定の
条件を満たした場合には、前記第２の所定周波数を高周波数側に変更し、前記所定の条件を満たさなかった場合には、前記第２の所定の周波数を高周波数側に変更しないように前記第２の周波数変更手段を制御する、ことを特徴とする請求項１２に記載の通信機器。
【請求項１４】
前記近距離通信機能は、ブルートゥース機能とブルートゥース機能とは異なる他の機能とを含んで構成され、
前記制御手段は、前記機能動作手段により前記他の機能が動作されたとき、前記所定の条件を満たしたものとして前記第２の所定の周波数を高周波数側に変更し、前記機能動作手段により前記ブルートゥース機能が動作されたとき、前記所定の条件を満たさなかったものとして前記第２の所定の周波数を高周波側に変更しないように前記第２の周波数変更手段を制御する、ことを特徴とする請求項１３に記載の通信機器。
【発明の詳細な説明】
【技術分野】
【０００１】
本発明は、アンテナを有する通信機器に関する。
【背景技術】
【０００２】
近年、通信機器においては、通話機能のみならず、メール機能、インターネットのブラウジング機能、ＴＶ電話機能等の様々なアプリケーションが搭載されている。
【０００３】
ここで、通信機器では、起動されるアプリケーションの種類に応じて、使用状態が異なってくる。例えば、通話機能を利用するときには、ユーザは、通信機器を手で支えながら耳と口元に押し当てて使用する。また、メール機能やインターネットのブラウジング機能を利用するときには、ユーザは、通信機器を手で支えながら手動で操作部を操作する。
【０００４】
しかし、ユーザがこのように操作部を操作すると、アンテナが内蔵されている部位が手等により覆われてしまうことがある。
【０００５】
このように、アンテナの配置部位が手で覆われると、アンテナの共振周波数が下がってアンテナの性能が劣化する場合がある。
【０００６】
このような使用状態によるアンテナの性能の劣化を回避するために、様々な技術が提案されている（例えば、特許文献１又は２を参照。）。
【特許文献１】特開２００４−１７９９９５号公報
【特許文献２】特開２００４−３６３８６３号公報
【発明の開示】
【発明が解決しようとする課題】
【０００７】
しかしながら、特許文献１及び特許文献２では、人体の接触を感知するセンサを設けることにより、複数のアンテナの中から好適に通信を行えるアンテナを選択する技術であり、構造が複雑となることが避けられない。
【０００８】
本発明では、上述のような課題に鑑みてなされたものであり、その目的の一つは、構造の複雑化を招くことなく、良好なアンテナ性能を確保することができる通信機器を提供することにある。
【課題を解決するための手段】
【０００９】
本発明に係る通信機器は、第１の所定の周波数で共振する第１のアンテナと、前記第１の所定の周波数を変更する第１の周波数変更手段と、所定の機能を動作させる機能動作手段と、前記機能動作手段により、人体が通信機器に接触した状態で動作されることが想定される特定の機能が動作されたとき、前記第１の所定の周波数を高周波数側に変更するように前記第１の周波数変更手段を制御する制御部と、を有することを特徴とする。
【発明の効果】
【００２４】
本発明によれば、機能の動作状態に応じてアンテナの共振周波数が変更されるため、構造の複雑化を招くことなく良好なアンテナ性能を確保することができる通信機器を提供することができる。
【発明を実施するための最良の形態】
【００２５】
以下、本発明の実施の形態について説明する。
【００２６】
図１は、本発明に係る通信機器の一例である携帯電話装置１の外観斜視図を示す。なお、以下では、携帯電話装置について説明するが、本発明はこれに限定されるものではなく、撮像機能及び通信機能を有するものであれば良く、例えば、ＰＨＳ（Ｐｅｒｓｏｎａｌ
Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であって
も良い。
【００２７】
携帯電話装置１は、操作部側筐体部２と、表示部側筐体部３と、を備えて構成される。操作部側筐体部２は、表面部１０に、操作キー群１１と、携帯電話装置１の使用者が通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００２８】
また、表示部側筐体部３は、表面部２０に、各種情報を表示するためのディスプレイ２１と、通話の相手側の音声を出力する音声出力部２２と、被写体を撮像するＣＣＤ（Ｃｈａｒｇｅ  Ｃｏｕｐｌｅｄ  Ｄｅｖｉｃｅ）カメラ等により構成される撮像部２３と、音楽等を外部に出力するスピーカ２４と、を備えて構成されている。
【００２９】
また、撮像部２３は、撮像方向が表面部２０の表示面と垂直の方向になっているので、この携帯電話装置１を保持して操作する者がディスプレイ２１を正面から見たときに、撮像方向がその者の顔が位置する方向に向くようになっている。なお、撮像部２３は、表示部側筐体部３に設ける代わりに、操作部側筐体部２の表面部１０に設けるようにしても良く、このような場合にも撮像部２３の撮像方向は、この携帯電話装置１を保持して操作する者の顔が位置する方向に向くようしても良い。
【００３０】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とが折り畳まれた状態（折畳み状態）にしたりできる。
【００３１】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）や、操作部側筐体部２と表示部側筐体部３とが一つの筐体に配置され連結部を有さない型式（ストレートタイプ）等であっても良い。
【００３２】
また、図２は、携帯電話装置１の機能を示す機能ブロック図である。携帯電話装置１は、図２に示すように、操作キー群１１（操作手段）と、外部の端末と通信を行う第１の通信部６０と、第２の通信部９０と、所定の制御を行う制御部７０（制御手段）と、所定の機能を動作させる機能動作部７１（機能動作手段）と、表示部７２（表示手段）と、音声報知部７３（音声報知手段）と、所定容量を有する充電池７４と、充電池７４から供給される電源電圧を所定の電圧に変換し、変換後の電圧を第１の通信部６０、第２の通信部９０、制御部７０等に供給する電源回路部７５と、を備えている。
【００３３】
第１の通信部６０は、共振周波数ｆｃ（第１の所定の周波数）で共振するメインアンテナ６１と、変調処理又は復調処理等の信号処理を行う第１の通信処理部６２と、メインアンテナ６１の共振周波数ｆｃを変更する第１の周波数変更部６３（第１の周波数変更手段）と、を備える。
【００３４】
メインアンテナ６１は、例えば、８００ＭＨｚ付近の周波数帯で外部装置（基地局）と通信を行う。なお、メインアンテナ６１は、他の周波数帯（例えば、２ＧＨｚ）に対応できる、複数バンド対応型による構成であっても良い。
【００３５】
第１の通信処理部６２は、メインアンテナ６１によって受信した信号を復調処理し、処理後の信号を制御部７０に供給し、一方、制御部７０から供給された信号を変調処理し、メインアンテナ６１を介して外部装置（基地局）に送信する。
【００３６】
第１の周波数変更部６３は、メインアンテナ６１の共振周波数を、制御部７０の制御にしたがって、高周波数側又は低周波数側に変更する。
【００３７】
第２の通信部９０は、共振周波数ｆｄ（第２の所定の周波数）で共振する近距離通信アンテナ９１と、変調処理又は復調処理等の信号処理を行う第２の通信処理部９２と、近距離通信アンテナ９１の共振周波数ｆｄを変更する第２の周波数変更部９３（第２の周波数変更手段）と、を備える。
【００３８】
近距離通信アンテナ９１は、例えば、１３．５６ＭＨｚ付近の周波数帯で外部機器（基地局とは異なる機器）と近距離通信を行う。また、近距離通信アンテナ９１は、ブルートゥース用のアンテナも有しており、２．４５ＧＨｚ付近の周波数帯で、外部機器と近距離通信を行うことも可能に構成される。
【００３９】
第２の通信処理部９２は、近距離通信アンテナ９１によって受信した信号を復調処理し、処理後の信号を制御部７０に供給し、一方、制御部７０から供給された信号を変調処理し、近距離通信アンテナ９１を介して外部機器に送信する。
【００４０】
第２の周波数変更部９３は、近距離通信アンテナ９１の共振周波数（共振周波数ｆｄ）を、制御部７０の制御にしたがって、高周波数側又は低周波数側に変更する。
【００４１】
制御部７０は、機能動作部７１に対して所定の制御を行う。したがって、制御部７０は、機能動作部７１により、現在どのような機能が動作しているのかを把握することができる。
【００４２】
機能動作部７１は、制御部７０の制御にしたがって、所定の機能を動作させる。例えば、機能動作部７１は、着信時において、操作キー群１１に対してユーザによる所定の操作が行われた場合、通話機能（メインアンテナ６１により送受信される電波を用いた機能）、近距離通信機能（近距離通信アンテナ９１により送受信される電波を用いた機能）を動作させたり、操作キー群１１の操作に応じてメール機能やインターネットのブラウジング機能を動作させたりする。
【００４３】
表示部７２は、制御部７０の制御にしたがって、所定の情報を表示する。例えば、表示部７２は、着信時に着信を知らせるメッセージが表示させたり、機能動作部７１によりメール機能が動作されたときに、メーラー（メールの読み書きを行うアプリケーション）を表示させたりする。
【００４４】
音声報知部７３は、音声出力部２２やスピーカ２４に相当し、制御部７０の制御にしたがって音声を外部に報知する。
【００４５】
電源回路部７５は、充電池７４から供給される電源電圧を所定の電圧値に変圧し、変圧後の電源電圧を第１の通信部６０や制御部７０等に供給する。
【００４６】
ここで、制御部７０の動作について、図３に示すフローチャートを参照しながら説明する。なお、以下では、機能動作部７１による通常の待ち受け機能が動作されている状態、すなわちユーザが携帯電話装置１を手に持っていないと推定される状態を「使用状態１」とし、機能動作部７１による通常の通話機能等に代表される音声報知部７３による音声報知を伴う機能（特定の機能の一つ）が動作されている状態、すなわちユーザが音声報知部７３による音声報知を聞き取ろうとして携帯電話装置１を手に持ち顔に押し当てていると推定される状態を「使用状態２」とし、機能動作部７１による所定の機能（例えば、メール機能、インターネットのブラウジング機能、ＴＶ電話機能、ハンズフリー通話機能等の表示部７２による表示を伴う機能、操作キー群１１による操作を伴う機能又は近距離通信機能（いずれも特定の機能の一つ）が動作されている状態、すなわちユーザが携帯電話装置１を手に持って表示部７２を眺めている、操作キー群１１の操作を行ってはいるが顔等には押し当てていない、又はユーザが携帯電話装置１を手に持って外部機器と近距離通信を行っていると推定される状態を「使用状態３」とする。
【００４７】
また、制御部７０は、各使用状態を常に把握している。また、現在は、携帯電話装置１は、使用状態１にあり、メインアンテナ６１の共振周波数ｆｃは、第１の所定の周波数（例えば、８００ＭＨｚ）であるとする。
【００４８】
ステップＳ１において、制御部７０は、通話機能を除く機能の使用状態になったか否か、例えばＷｅｂ機能、メール機能、近距離通信機能等の使用状態になったか否かを判定する。これら機能の使用状態（使用状態３）であると判定された場合（Ｙｅｓ）には、ステップＳ８に進み、これら機能の使用状態でないと判定された場合（Ｎｏ）には、ステップＳ２に進む。
【００４９】
ステップＳ２において、制御部７０は、通話機能の使用状態（使用状態２）になっているか否かを判定する。使用状態２になっている場合（Ｙｅｓ）には、ステップＳ３に進み、使用状態になっていない場合（Ｎｏ）には、ステップＳ１に戻る。
【００５０】
ステップＳ３において、制御部７０は、通話機能の使用の際に、機能動作部７１によりブルートゥース用のアンテナを利用した近距離通信機能が動作されているか否かを判定する。この近距離通信機能は、２．４５ＧＨｚ付近の周波数帯の信号を送受信可能な外部機器を用いて、通話機能を利用可能とするよう、ブルートゥース用のアンテナを利用して通話機能に係る音声信号をその外部機器と送受信しあうために動作されるものである。そしてブルートゥース用のアンテナを利用した近距離通信機能が動作されていると判定された場合（Ｙｅｓ）には、ステップＳ４に進み、ブルートゥース用のアンテナを利用した近距離通信機能が動作されていないと判定された場合（Ｎｏ）には、ステップＳ５に進む。
【００５１】
ステップＳ４において、制御部７０は、アンテナチューニング処理を行う。具体的には、制御部７０は、メインアンテナ６１の共振周波数が、後述のステップＳＴ５において第４の所定の周波数に変更されていた場合には、その変更を解除してメインアンテナ６１の共振周波数を本来の共振周波数ｆｃにチューニングするように第１の周波数変更部６３を制御する。一方、ステップＳ４の開始時において、既にメインアンテナ６１の共振周波数がｆｃであった場合には、特にアンテナチューニング処理を行わない。すなわち、この場合にはメインアンテナ６１の共振周波数ｆｃは、そのまま維持される。
【００５２】
このようにアンテナチューニング処理を行う、あるいは行わないのは、ブルートゥース用のアンテナを利用した近距離通信機能が動作されていると判定された場合には、ユーザは、携帯電話装置１を例えば机の上に置き、近距離通信を用いて通話機能を楽しんでいる状態（使用状態１）である可能性が高く、携帯電話装置１にユーザの顔が押し当てられてメインアンテナ６１の共振周波数ｆｃが下がることはないであろうとの推定に基づくものである。
【００５３】
ステップＳ５において、制御部７０は、アンテナチューニング処理を行う。具体的には、制御部７０は、メインアンテナ６１の共振周波数ｆｃを、後述の第３の所定の周波数よりも高い周波数である高周波数側の第４の所定の周波数に変更されるように第１の周波数変更部６３を制御する。
【００５４】
これにより、通話機能が動作されて、携帯電話装置１に顔が押し当てられた状態（使用状態２）となり、メインアンテナ６１の共振周波数ｆｃが下がったとしても、制御部７０の制御のもと、第１の周波数変更部６３が共振周波数ｆｃを高周波数側に変更するため、メインアンテナ６１の性能の劣化が抑制される。
【００５５】
ステップＳ６において、制御部７０は、通話機能の使用が終了されたか否かを判定する。通話機能の使用が終了されている場合（Ｙｅｓ）には、ステップＳ７に進み、通話機能の使用が終了されていない場合（Ｎｏ）には、ステップＳ３に戻る。
【００５６】
ステップＳ７において、制御部７０は、アンテナチューニング処理を行う。具体的には、制御部７０は、ステップＳ５の工程により変更したメインアンテナ６１の第４の所定の周波数を、元の共振周波数ｆｃに変更されるように第１の周波数変更部６３を制御する。一方、ステップＳ７の開始時において、既にメインアンテナ６１の共振周波数がｆｃであった場合には、特にアンテナチューニング処理を行わない。すなわち、この場合にはメインアンテナ６１の共振周波数ｆｃは、そのまま維持される。
【００５７】
ステップＳ８において、制御部７０は、機能動作部７１により動作された機能が近距離通信機能であるか否かを判定する。近距離通信機能が動作されていると判定された場合（Ｙｅｓ）には、ステップＳ９に進み、近距離通信機能が動作されていないと判定された場合（Ｎｏ）には、ステップＳ１３に進む。
【００５８】
ステップＳ９において、制御部７０は、機能動作部７１により動作された近距離通信機能の動作状態が所定の条件を満たしているか否かを判定する。本実施形態においては、制御部７０は、機能動作部７１により動作されている近距離通信機能が、ブルートゥース用のアンテナを利用した近距離通信機能であるか否かに基づいて所定の条件が満たされているか否かを判定する。そして、ブルートゥース用のアンテナを利用した近距離通信機能が動作されていない（他の機能が動作されている）と判定された場合（Ｙｅｓ）には、所定の条件を満たしているものとしてステップＳ１０に進む。ブルートゥース用のアンテナを利用した近距離通信機能が動作されていると判定された場合（Ｎｏ）には、ユーザは、携帯電話装置１を手に持って表示部７２を眺めたり、操作キー群１１を操作したりしている状態ではなく、ましてや顔が押し当てられて状態でもないと推定される（使用状態１と推定される）ため、所定の条件を満たしていないものとしてメインアンテナ６１の共振周波数を本来のｆｃにチューニングするためにステップＳ７に進む。
【００５９】
ステップＳ１０において制御部７０は、アンテナチューニング処理を行う。具体的には、制御部７０は、メインアンテナ６１の共振周波数ｆｃを、前述の第４の所定の周波数よりも低い周波数である高周波数側の第３の所定の周波数に変更されるように第１の周波数変更部６３を制御する。また、近距離通信アンテナ９１の共振周波数ｆｄを、高周波数側に変更するように第２の周波数変更部９３を制御する。
【００６０】
このようにアンテナチューニング処理を行うのは、ブルートゥース用のアンテナを利用した近距離通信機能とは異なる近距離通信機能が動作されていると判定された場合には、ユーザは、携帯電話装置１を手に持って近距離通信機能を楽しんでいる状態（使用状態２）である可能性が高く、携帯電話装置１が顔に押し当てられた状態ほどではないにせよ、メインアンテナ６１の共振周波数ｆｃおよび近距離通信アンテナ９１の共振周波数ｆｄが低周波側に下がるおそれがあるとの推定に基づくものである。
【００６１】
これにより、近距離通信機能が動作されて、携帯電話装置１が手に持たれたりしてメインアンテナ６１の共振周波数ｆｃおよび近距離通信アンテナ９１の共振周波数ｆｄが下がったとしても、制御部７０の制御のもと、第１の周波数変更部６３が共振周波数ｆｃを高周波数側に変更し、また、第２の周波数変更部９３が近距離通信アンテナ９１の共振周波数ｆｄを高周波数側に変更するため、メインアンテナ６１および近距離通信アンテナ９１の性能の劣化が抑制される。
【００６２】
ステップＳ１１において、制御部７０は、近距離通信機能の使用が終了されたか否かを判定する。近距離通信機能が終了されている場合（Ｙｅｓ）には、ステップＳ１２に進み、近距離通信機能が終了されていない場合（Ｎｏ）には、ステップＳ１１を繰り返す。
【００６３】
ステップＳ１２において、制御部７０は、アンテナチューニング処理を行う。具体的には、制御部７０は、ステップＳ１０の工程により変更したメインアンテナ６１の第３の所定の周波数を、基の共振周波数ｆｃに変更されるように第１の周波数変更部６３を制御する。また同じようにステップＳ１０の工程により高周波側に変更した近距離通信アンテナ９１の周波数を、元の共振周波数ｆｄに変更されるように第２の周波数変更部９３を制御する。
【００６４】
ステップＳ１３において制御部７０は、アンテナチューニング処理を行う。具体的には、制御部７０は、メインアンテナ６１の共振周波数ｆｃを、前述の第４の所定の周波数よりも低い周波数である高周波数側の第３の所定の周波数に変更されるように第１の周波数変更部６３を制御する（ただしこの場合は、近距離通信機能は使用されていないため、ステップＳ１０とは異なり近距離通信アンテナ９１の共振周波数ｆｄを、高周波数側に変更するように第２の周波数変更部９３を制御しない。
【００６５】
このようにアンテナチューニング処理を行うのは、Ｗｅｂ機能、メール機能等の近距離通信機能とは異なるその他の機能が動作されていると判定された場合には、ユーザは、携帯電話装置１を手に持ってその機能を楽しんでいる状態（使用状態２）である可能性が高く、携帯電話装置１が顔に押し当てられた状態ほどではないにせよ、メインアンテナ６１の共振周波数ｆｃが低周波側に下がるおそれがあるとの推定に基づくものである。
【００６６】
これにより、Ｗｅｂ機能、メール機能等の近距離通信機能とは異なるその他の機能が動作されて、携帯電話装置１が手に持たれたりしてメインアンテナ６１の共振周波数ｆｃが下がったとしても、制御部７０の制御のもと、第１の周波数変更部６３が共振周波数ｆｃを高周波数側に変更するため、メインアンテナ６１の放射効率の劣化が抑制される。
【００６７】
ステップＳ１４において、制御部７０は、Ｗｅｂ機能、メール機能等の近距離通信機能とは異なるその他の機能の使用が終了されたか否かを判定する。Ｗｅｂ機能、メール機能等の近距離通信機能とは異なるその他の機能の使用が終了されている場合（Ｙｅｓ）には、ステップＳ１５に進み、終了されていない場合（Ｎｏ）には、ステップＳ１４を繰り返す。
【００６８】
ステップＳ１５において、制御部７０は、アンテナチューニング処理を行う。具体的には、制御部７０は、ステップＳ１３の工程により変更したメインアンテナ６１の第３の所定の周波数を、元の共振周波数ｆｃに変更されるように第１の周波数変更部６３を制御する。
【００６９】
なお、機能動作部７１は、図２に示すように、外部の音声報知機器８０（例えば、音楽を聴くときに使用するイヤホンや、外部のスピーカ等）による音声報知を伴う機能を動作するように構成されても良い。
【００７０】
このようにして、外部の音声報知機器８０が使用されている状態においては、携帯電話装置１は、ユーザにより手に持たれ、外部の音声報知機器８０を使用するように一定の操作が行われ、その後、机の上等に置かれ、ユーザの手に持たれていない状態（使用状態１に近い）にあると推定される。
【００７１】
このような構成の場合には、制御部７０は、第１の周波数変更部６３によりメインアンテナ６１の共振周波数ｆｃが高周波数側に変更された状態で機能動作部７１によりこのような外部の音声報知機器８０による音声報知を伴う機能が動作されたとき、高周波数側に変更された周波数を低周波数側（例えば、メインアンテナ６１の本来の共振周波数ｆｃ）に変更するように第１の周波数変更部６３を制御する。
【００７２】
つぎに、第１の周波数変更部６３の具体的な構成例について説明する。なお、第２の周波数変更部９３については、基本的原理および基本的態様が第１の周波数変更部６３と同様であるため、その説明は省略する。
【００７３】
＜構成例１＞
第１の周波数変更部６３Ａは、図４に示すように、所定のインダクタンスを有し、メインアンテナ６１のマッチング用のコイル１００と、スイッチング素子１０１とが直列接続により構成されている。なお、スイッチング素子１０１は、例えば、ＦＥＴ（Ｆｉｅｌｄ  Ｅｆｆｅｃｔ  Ｔｒａｎｓｉｓｔｏｒ）により構成されている。
【００７４】
制御部７０は、使用状態に応じてスイッチング素子１０１をＯＮ状態又はＯＦＦ状態にすることにより、メインアンテナ６１の共振周波数ｆｃを変更する。
【００７５】
なお、コイル１００とスイッチング素子１０１の組合せを複数個有する構成にすることにより、多段階にメインアンテナ６１の共振周波数ｆｃを変更することが可能となる。また、構成例１では、第１の周波数変更部６３Ａの構成要素をコイル１００としたが、これに限られず、コンデンサであっても良い。
【００７６】
＜構成例２＞
また、第１の周波数変更部６３Ｂは、図５に示すように、所定の容量を有し、メインアンテナ６１のマッチング用のコンデンサ１０２と、バリキャップダイオード１０３とが直列接続により構成されている。
【００７７】
制御部７０は、使用状態に応じてバリキャップダイオード１０３に逆バイアス電圧を供給する。バリキャップダイオード１０３は、制御部７０から供給される逆バイアス電圧の電圧値に応じて容量が可変する。したがって、制御部７０によってバリキャップダイオード１０３に印加される電圧値に応じて、メインアンテナ６１の共振周波数ｆｃが変更される。
【００７８】
＜構成例３＞
また、第１の周波数変更部６３Ｃは、図６に示すように、第１の通信処理部６２から供給される信号を切り替える第１のスイッチ部１０４と、第１の素子１０５と、第２の素子１０６と、第３の素子１０７と、第１の素子１０５乃至第３の素子１０７から供給される信号を切り替える第２のスイッチ部１０８と、により構成される。第１の素子１０５と、第２の素子１０６と、第３の素子１０７とは、それぞれ異なる回路定数を有して構成されている。
【００７９】
制御部７０は、使用状態に応じて第１のスイッチ部１０４と第２のスイッチ部１０８とを連動して切り替え制御を行う。例えば、制御部７０は、使用状態１のときには、第１の素子１０５が選択されるように第１のスイッチ部１０４と第２のスイッチ部１０８とを切り替え、使用状態２のときには、第２の素子１０６が選択されるように第１のスイッチ部１０４と第２のスイッチ部１０８とを切り替え、使用状態３のときには、第３の素子１０７が選択されるように第１のスイッチ部１０４と第２のスイッチ部１０８とを切り替える。
【００８０】
このようにして、本発明に係る携帯電話装置１は、機能動作部７１による機能の動作状態に応じてメインアンテナ６１の共振周波数を変更するように第１の周波数変更部６３を制御する制御部７０を備えるので、構造の複雑化を招くことなく、機能の動作状態から導かれる使用者による使用状態に基づいて、常に好適な第１のアンテナ性能が得られるように、第１のアンテナの共振周波数の変更（チューニング）を実施することができる。また、
また、本発明に係る携帯電話装置１は、使用者による使用状態を検出するための検出器を必要としないため、構造を簡素化することができる。
【００８１】
なお、本実施例においては、使用状態を３つの状態に単純化したが、本発明は、これに限られず、３つ以上の使用状態において、好適にメインアンテナ６１の共振周波数ｆｃを変更する構成であっても良い。
【００８２】
また、本実施形態においては、ステップＳ９において、制御部７０は、機能動作部７１により動作されている近距離通信機能が、ブルートゥース用のアンテナを利用した近距離通信機能であるか否かに基づいて所定の条件が満たされているか否かを判定していたが、本発明はこれに限られず、その他の条件が満たされているか否かに基づいて所定の条件が満たされているか否かを判定してもよい。例えば、制御部７０は、機能動作部７１により動作されている近距離通信機能の動作時間が所定の時間以下の場合には、ユーザが携帯電話装置１を手に持っていると推定されるため、所定の条件が満たされたものとして判定し、機能動作部７１により動作されている近距離通信機能の動作時間が所定の時間より長い時間の場合には、ユーザが携帯電話装置１を手に持ってないと推定されるため、所定の条件が満たされていないものとして判定してもよい。
【００８３】
あるいは、携帯電話装置１が従来より知られているような加速度検出部を有する場合においては、制御部７０は、加速度検出部により検出された加速度が所定の加速度以上のときに、ユーザが携帯電話装置１を手に持っていると推定されるため、所定の条件が満たされたものとして判定し、所定の加速度より小さい加速度のときには、ユーザが携帯電話装置１を手に持ってないと推定されるため、所定の条件が満たされていないものとして判定してもよい。
【００８４】
さらに、携帯電話装置１が特定の置き台（例えば充電池７４を充電するための充電台）に設置可能に構成され、かつ携帯電話装置１が置き台に設置されたか否かを制御部７０が検出可能に構成されている場合においては、制御部７０は、携帯電話装置１が置き台に設置されたことが検出されてないときに、ユーザが携帯電話装置１を手に持っていると推定されるため、所定の条件が満たされたものとして判定し、携帯電話装置１が置き台に設置されたことが検出されたときには、ユーザが携帯電話装置１を手に持ってないと推定されるため、所定の条件が満たされていないものとして判定してもよい。
【図面の簡単な説明】
【００８５】
【図１】本発明に係る携帯電話装置の外観を示す斜視図である。
【図２】本発明に係る携帯電話装置の機能を示すブロック図である。
【図３】本発明に係る携帯電話装置に備えられている制御部の動作についての説明に供するフローチャートである。
【図４】本発明に係る携帯電話装置に備えられている周波数変更部の第１の構成を示す図である。
【図５】本発明に係る携帯電話装置に備えられている周波数変更部の第２の構成を示す図である。
【図６】本発明に係る携帯電話装置に備えられている周波数変更部の第３の構成を示す図である。
【符号の説明】
【００８６】
１１  操作キー群（操作手段）
６０  通信部
６３  周波数変更部（第１の周波数変更手段）
７０  制御部（制御手段）
７１  機能動作部（機能動作手段）
７２  表示部（表示手段）
７３  音声報知部（音声報知手段）
８０  音声報知機器
９０  第２の通信部
９３  第２の周波数変更部
【図１】
0005258461.tif 000002
【図２】
0005258461.tif 000003
【図３】
0005258461.tif 000004
【図４】
0005258461.tif 000005
【図５】
0005258461.tif 000006
【図６】
0005258461.tif 000007